(57)【要約】【課題】操作性に優れる携帯端末を提供する。【解決手段】携帯端末は、ディスプレイと、対象の接触を検知するための接触面であって、且つディスプレイの表示面に重ねられる接触面と、ディスプレイに画像が表示されていないとき接触面において対象が接触した領域の位置を検出する位置検出部３０７と、接触した領域の位置から、画像の天地に従う表示方向を決定するための方向決定部３１０と、を備える。【選択図】図４
2013150161.tif 000002
【特許請求の範囲】
【請求項１】
ディスプレイと、
対象の接触を検知するための接触面であって、且つ前記ディスプレイの表示面に重ねられる接触面と、
前記ディスプレイに画像が表示されていないとき前記接触面において対象が接触した領域の位置を検出する位置検出部と、
接触した領域の位置から、画像の天地に従う表示方向を決定するための方向決定部と、を備える、携帯端末。
【請求項２】
前記方向決定部は、
前記ディスプレイに画像が表示されていないとき前記接触面において対象が接触した領域の位置と面積とから、画像の天地に従う表示方向を決定する、請求項１に記載の携帯端末。
【請求項３】
前記接触面は、ユーザ操作を受付けるための操作される操作面と、耳の当接による押圧を検出するための受圧面とを含む、請求項１または２に記載の携帯端末。
【請求項４】
前記方向決定部は、
対象が接触した接触領域の面積の値が所定面積値以下であり、且つ前記接触領域の位置が前記操作面の位置を示すとき、前記天地のうち地側が前記接触領域の位置に対応するように画像の表示方向を決定する、請求項３に記載の携帯端末。
【請求項５】
前記方向決定部は、
対象が接触した接触領域の面積の値が所定面積値よりも大きく、且つ前記接触領域の位置が前記受圧面の位置を示すとき、前記天地のうち天側が前記接触領域の位置に対応するように画像の表示方向を決定する、請求項３または４に記載の携帯端末。
【請求項６】
前記接触面の異なる位置に取り付けられて、且つ駆動信号に従って当該接触面を振動させるための複数の振動部と、
前記駆動信号として、前記接触面から音波を放射させるように振動させるための音声発生信号を出力する駆動部と、をさらに備え、
前記接触領域の面積の値は所定面積値よりも大きいとき、前記駆動部は、前記複数の振動部のうち、前記接触面における前記接触領域の位置に近接して取り付けられた１つ以上の振動部に対し、前記音声発生信号を出力する、請求項１から５のいずれかに記載の携帯端末。
【請求項７】
通話時において前記接触領域の面積の値は前記所定面積値よりも大きいときは、前記駆動部は、前記１つ以上の振動部に対し、前記接触面を前記通話による受話音声を発生させるように振動させるための前記音声発生信号を出力する、請求項６に記載の携帯端末。
【請求項８】
前記１つ以上の振動部に対し前記音声発生信号を出力するとき、前記表示方向に従って画像を前記ディスプレイに表示する、請求項６または７に記載の携帯端末。
【請求項９】
連結部を介して連結された複数のディスプレイと、
対象の接触を検知するための接触面であって、且つ前記複数のディスプレイのそれぞれの表示面に重ねられる接触面と、
前記複数のディスプレイに画像が表示されていないとき前記複数のディスプレイの接触面において対象が接触した領域の位置を検出する位置検出部と、
接触した領域の位置から、画像の天地に従う表示方向を決定するための方向決定部と、を備える、携帯端末。
【発明の詳細な説明】
【技術分野】
【０００１】
この発明は、携帯端末に関し、特に、画像の表示方向を切替える携帯端末に関する。
【背景技術】
【０００２】
携帯端末では、平板状の矩形の筺体枠内に、ＬＣＤ（Liquid  Crystal  Display）パネルを搭載し、その表示面の上にタッチパネルを搭載したものにおいて、ＬＣＤパネルおよびタッチパネルの形状およびサイズが筺体枠とほぼ同じものがある。たとえば特許文献１（特開２００６−１８６８５０号公報）に示される。
【先行技術文献】
【特許文献】
【０００３】
【特許文献１】特開２００６−１８６８５０号公報
【発明の概要】
【発明が解決しようとする課題】
【０００４】
携帯端末では、筺体の天地に画像の天地を一致させるようにして画像の表示方向を決定する。しかしながら、上述した形状の携帯端末の場合には、大きな画面領域を確保するがゆえに、ＬＣＤパネル等を額縁のように囲む筺体枠の面積は非常に小さくなる。そのため、マイク（マイクロフォン）用の穴も筺体の側面において形成される。したがって、ユーザは、何ら画像が表示されていないときは、画像から筺体の天地を判別することはできず、またマイク位置から筺体の天地を判別するためには側面のマイク穴を確認する必要がある。判別結果、把持している筺体の天地が意図したものとは逆であった場合には、筺体を持ち替える必要があった。また、画像が表示されて初めて天地が逆であったとわかったときは、筺体を持ち替える必要があり、使い勝ってに優れない。
【０００５】
それゆえに、本発明の目的は、操作性に優れる携帯端末を提供することである。
【課題を解決するための手段】
【０００６】
この発明のある局面に従う携帯端末は、ディスプレイと、対象の接触を検知するための接触面であって、且つディスプレイの表示面に重ねられる接触面と、ディスプレイに画像が表示されていないとき接触面において対象が接触した領域の位置を検出する位置検出部と、接触した領域の位置から、画像の天地に従う表示方向を決定するための方向決定部と、を備える。
【０００７】
好ましくは、方向決定部は、ディスプレイに画像が表示されていないとき接触面において対象が接触した領域の位置と面積とから、画像の天地に従う表示方向を決定する。
【０００８】
好ましくは、接触面は、ユーザ操作を受付けるための操作される操作面と、耳の当接による押圧を検出するための受圧面とを含む。
【０００９】
好ましくは、方向決定部は、対象が接触した接触領域の面積の値が所定面積値以下であり、且つ接触領域の位置が操作面の位置を示すとき、天地のうち地側が接触領域の位置に対応するように画像の表示方向を決定する。
【００１０】
好ましくは、方向決定部は、対象が接触した接触領域の面積の値が所定面積値よりも大きく、且つ接触領域の位置が受圧面の位置を示すとき、天地のうち天側が接触領域の位置に対応するように画像の表示方向を決定する。
【００１１】
好ましくは、接触面の異なる位置に取り付けられて、且つ駆動信号に従って当該接触面を振動させるための複数の振動部と、駆動信号として、接触面から音波を放射させるように振動させるための音声発生信号を出力する駆動部と、をさらに備える。
【００１２】
接触領域の面積の値は所定面積値よりも大きいとき、駆動部は、複数の振動部のうち、接触面における接触領域の位置に近接して取り付けられた１つ以上の振動部に対し、音声発生信号を出力する。
【００１３】
好ましくは、通話時において接触領域の面積の値は所定面積値よりも大きいときは、駆動部は、１つ以上の振動部に対し、接触面を通話による受話音声を発生させるように振動させるための音声発生信号を出力する。
【００１４】
好ましくは、１つ以上の振動部に対し音声発生信号が出力されるとき、表示方向に従ってディスプレイに画像を表示する。
【００１５】
この発明の他の局面に従う携帯端末は、連結部を介して連結された複数のディスプレイと、対象の接触を検知するための接触面であって、且つ複数のディスプレイのそれぞれの表示面に重ねられる接触面と、複数のディスプレイに画像が表示されていないとき複数のディスプレイの接触面において対象が接触した領域の位置を検出する位置検出部と、接触した領域の位置から、画像の天地に従う表示方向を決定するための方向決定部と、を備える。
【発明の効果】
【００１６】
本発明によれば、接触面において対象が接触した領域の位置から、画像の天地に従う表示方向が決定されるから、ユーザは対象を意図する位置に接触させることで、意図する方向に画像を表示させることのできる操作性に優れた携帯端末を得ることができる。
【図面の簡単な説明】
【００１７】
【図１】実施の形態に係る携帯端末の外観図である。
【図２】実施の形態に係る携帯端末のハードウェア構成図である。
【図３】実施の形態に係るフラットパネルスピーカの構成を示す図である。
【図４】実施の形態に係る携帯端末の機能構成図である。
【図５】実施の形態に係る接触領域の検出位置を説明する図である。
【図６】実施の形態に係る耳が接触した場合の態様を説明するための図である。
【図７】実施の形態に係るタッチパネルで接触領域を検出した場合の態様を説明するための図である。
【図８】実施の形態に係る処理フローチャートである。
【図９】実施の形態に係るマイク配置の変形例を示す図である。
【図１０】実施の形態に係る筺体の変形例を示す図である。
【発明を実施するための形態】
【００１８】
図面を参照しつつ、本発明の実施の形態について説明する。以下の説明では、同一の部品には同一の符号を付してある。それらの名称および機能も同じである。したがって、それらについての詳細な説明は繰り返さない。
【００１９】
図１を参照して、本発明の実施の形態に係る携帯端末１００について説明する。図１は、携帯端末１００の外観を表わす図である。携帯端末１００は、長方形状の筺体２４と、筺体２４に装着された長方形状のフラットパネルである後述のタッチパネル１２１を含む表示一体型入力部１２０、筺体２４に取付けられた集音部であるマイク（マイクロフォンの略）１６１および１６２、および音声信号を送信するための送信部１３１を備える。
【００２０】
送信部１３１は、たとえば、Bluetooth（登録商標）などの無線通信により音声信号を外部装置に送信する。筺体２４の長手方向と、タッチパネル１２１の長手方向とは一致する。ここでは、マイク１６１と１６２は、長方形の筺体２４およびタッチパネル１２１の短辺側に位置する。なお、マイク１６１（１６２）に代替して、Bluetooth（登録商標）などの無線通信により外部から音声を受信し、集音するようにしてもよい。
【００２１】
図示されるように、筺体２４はタッチパネル１２１を額縁状に囲むようにタッチパネル１２１に装着される。ユーザは筺体２４の額縁を把持しながら、タッチパネル１２１を操作し、またはタッチパネル１２１を介して表示画像を確認する。
【００２２】
ここでは、表示一体型入力部１２０の面のうち、外部に露出する面はタッチパネル１２１の操作される操作面に対応する。操作面の背面には異なる位置に取り付けられて、駆動信号に従ってタッチパネル１２１を振動させるための複数の振動部１５Ａおよび１５Ｂを備える。振動部１５Ａおよび１５Ｂは後述するフラットパネルスピーカ（図３参照）に相当する。また、背面の異なる位置には圧力検出のための受圧素子からなる受圧面である複数のダイヤフラム（隔膜）１９１Ａおよび１９１Ｂを備える。ダイヤフラム１９１Ａと１９１Ｂは、検出対象（本実施の形態の場合には耳）が接触した領域の位置および面積を検出するために用いられる。
【００２３】
図２を参照して、本発明の実施の形態に係る携帯端末１００の構成についてさらに説明する。図２は、携帯端末１００のハードウェア構成を表わすブロック図である。携帯端末１００は、ＣＰＵ（Central  Processing  Unit）１１０、表示一体型入力部１２０、記憶部１４０、タッチパネル１２１を振動部１５Ａと１５Ｂを用いて振動させるためのパネル振動部１５０、マイク１６１および１６２に相当する音声入力部１６０、外部メモリ１７０、通信Ｉ／Ｆ（Interface）１８０、圧力センサ１９１を含むセンサ部１９０、および音声信号を無線信号に変換し、送信部１３１を介し外部の音響装置などに転送するため音声出力部２３０を備える。
【００２４】
表示一体型入力部１２０は、ＬＣＤ（Liquid  Crystal  Display）である表示部１２２およびＬＣＤの画像を表示する表示面を覆うように重ねられるタッチパネル１２１を含む。ユーザは、タッチパネル１２１を介して操作面を介して表示画像を操作（タッチ操作など）すると、タッチパネル１２１は操作による接触領域の位置および面積を電気的に検出し、検出した結果をＣＰＵ１１０に出力する。ＣＰＵ１１０は、検出した位置と面積とから、ユーザ操作による指示を入力する。
【００２５】
記憶部１４０は、プログラムおよびデータを格納するためのＲＡＭ（Random  Access  Memory）１４１およびＲＯＭ（Read-Only  Memory）１４２を含む。外部メモリ１７０は、図示しないＩ／Ｆ（Interface）を介して携帯端末１００に着脱自在に装着されて、ＣＰＵ１１０は装着された外部メモリ１７０をアクセスする。通信Ｉ／Ｆ１８０は、外部装置または図示しないネットワークと無線／有線で通信するためにアンテナを接続する。
【００２６】
通信Ｉ／Ｆ１８０は、Ｗｉ−Ｆｉ（Wireless  Fidelity（登録商標）の略）、Bluetooth（登録商標）等によって実現されるが、これらに限定されない。外部メモリ１７０は、たとえば不揮発性記憶媒体からなるメモリカードとして実現される。
【００２７】
図４を参照して、携帯端末１００の機能構成について説明する。携帯端末１００は、制御部３００、電話および電子メールなどの着信を検出する着信検出部３０１、音声出力部２３０の動作を制御するための音声出力制御部３０２、タッチパネル１２１によるユーザ操作を受付けるための操作受付部３１５、後述する圧電駆動部１５２（１５４）に供給すべき信号を生成するための駆動信号生成部３０３、および音声入力部１６０を制御するための音声入力制御部３０５を備える。
【００２８】
さらに、表示部１２２の表示動作を制御するための表示制御部３０４、記憶された音声データを再生し出力するための音声再生部３０６、接触検出部３０９、表示部１２２における画像の天地に従う表示方向を決定するための方向決定部３１０、表示する画像の通信Ｉ／Ｆ１８０を介した通信動作を制御するための通信部３１２、記憶部１４０および外部メモリ１７０に相当するデータ記憶部３１４を備える。
【００２９】
表示制御部３０４は、表示部１２２の表示面に表示されるべき画像データを記憶するための表示用メモリ３０４１を有し、表示用メモリ３０４１から画像データを読出し、読出した画像データに基づきＬＣＤを駆動することにより画像を表示する。表示用メモリ３０４１には、データ記憶部３１４から読出された画像データが格納される。
【００３０】
接触検出部３０９は、タッチパネル１２１からの出力信号または圧力センサ１９１からの出力信号に基づき、ユーザがタッチパネル１２１の操作面上を指・ペンなどの対象が接触した領域、またはユーザが操作面上に耳を当接させることで接触した領域の位置および面積を検出する位置検出部３０７および面積検出部３０８を含む。
【００３１】
通信部３１２は、通話のための音声送受信機能を有する通話部３１３を含む。データ記憶部３１４は、位置検出部３０７が検出した位置と比較されるべき基準位置を示す位置データ３３０、面積検出部３０８が検出した面積値と比較されるべき所定の面積値を示す面積データ３３１、操作受付部３１５が受付けた操作に応じてタッチパネル１２１にフィードバック用振動を発生させるための触覚データ３３２、および音声データ３３３を記憶する。音声データ３３３は、楽曲データ、携帯端末１００により集音して録音した音声データなど含む。
【００３２】
音声再生部３０６は、データ記憶部３１４から音声データ３３３を復調処理して音声信号に変換し、変換された音声信号を駆動信号生成部３０３に出力する。
【００３３】
図４の各部の機能は、記憶部１４０に格納されたプログラムをＣＰＵ１１０が読出し実行することにより実現されるか、または、当該プログラムとハードウェア回路の組合せにより実現される。
【００３４】
（フラットパネルスピーカ）
本実施の形態では、携帯端末１００は、タッチパネル１２１を振動させることにより音を出力するフラットパネルスピーカを有する。
【００３５】
図３を参照して、タッチパネル１２１は、ＬＣＤの表示面上の一部領域を覆う薄い板状の透明の保護ガラスと、保護ガラスの表示面とは反対側の面上を覆う透明な薄膜樹脂フィルムからなる。ＬＣＤの表示面上の他の部分領域には透明のダイヤフラム１９１Ａおよび１９１Ｂが配置されており、ダイヤフラム１９１Ａと１９１Ｂを介してＬＣＤの表示画像を確認することができる。
【００３６】
タッチパネル１２１には、タッチパネル１２１を振動させるためのアクチュエータモジュール１５１と１５３が装着される。また、アクチュエータモジュール１５１と１５３のそれぞれには、駆動信号を出力する圧電駆動部１５２と１５４が接続される。振動部１５Ａはアクチュエータモジュール１５１と圧電駆動部１５２を含んで構成され、振動部１５Ｂはアクチュエータモジュール１５３と圧電駆動部１５４を含んで構成される。
【００３７】
動作において、駆動信号生成部３０３は、出力するべき音声などに基づき制御信号を生成し、生成した制御信号を圧電駆動部１５２（１５４）に出力する。圧電駆動部１５２（１５４）は制御信号により制御されると、増幅された駆動信号をアクチュエータモジュール１５１（１５３）に出力する。アクチュエータモジュール１５１（１５３）は増幅された駆動信号を入力し、入力する駆動信号に基づき、電気信号である駆動信号を音響信号に変換して出力する。出力される音響信号によりタッチパネル１２１が振動し、タッチパネル１２１から音波が直接放射される。このように制御信号は、タッチパネル１２１を振動させることで音声を発生させるための音声発生信号に相当する。
【００３８】
本実施の形態では、携帯端末１００の動作モードは、着信検出部３０１が通話の着信を検出したとき、またはユーザが電話をかける操作をして、操作受付部３１５が当該操作を受付けたときは、通話モードに移行する。通話モードでは、駆動信号生成部３０３は、通話部３１３から通話による相手方の受話音声を入力すると、受話音声に基づく制御信号、すなわち帯域が狭く低い音域の音波を放射するための制御信号を出力する。この制御信号により振動部１５Ａ（１５Ｂ）が制御されてタッチパネル１２１が振動し放射される音波を聞く場合には、帯域が狭く低い音域であるゆえに、ユーザは、タッチパネル１２１に当てた耳から、骨伝導により受話音声を聞くことができる。
【００３９】
また、駆動信号生成部３０３は、着信検出部３０１により検出された着信を報知するためのリンガ音または音声データ３３３に基づく制御信号、すなわち帯域が広く高い音域までをカバーする音波を放射するための制御信号を出力する。この制御信号により振動部１５Ａ（１５Ｂ）が制御されてタッチパネル１２１から放射される音波は帯域が広く高い音域までをカバーするゆえに、携帯端末１００から比較的に離れた位置であってもユーザは放射される音波による音声を聞くことができる。
【００４０】
また、駆動信号生成部３０３は、操作受付部３１５から操作受付信号を入力するとタッチパネル１２１を触覚データ３３２に基づく周波数でタッチパネル１２１を振動させるための制御信号を出力する。この制御信号により振動部１５Ａ（１５Ｂ）が制御されると、タッチパネル１２１は、操作が受付られたことを報知するために触覚フィードバック用の所定周波数で振動する。したがって、ユーザは、タッチパネル１２１に置いた指などを介して振動を触覚することで、操作が受付られたことを確認することができる。
【００４１】
なお、タッチパネル１２１を振動させることができれば、アクチュエータモジュール１５１（１５３）の数および配置は、図３の態様に限定されない。
【００４２】
（接触領域の位置と表示方向）
本実施の形態では、タッチパネル１２１において対象（指、ペン、耳など）が接触した領域の位置から、表示すべき画像の天地に従った表示方向を決定する。ここで、接触した領域の位置について説明する。
【００４３】
図５を参照して、タッチパネル１２１の長方形状の操作面、すなわちＬＣＤの長方形状の表示面を２本の対角線（破線）で区切った４個の領域１２０Ｅ〜１２３Ｅを想定すると、ダイヤフラム１９１Ａが配置される側の領域１２０Ｅの位置は『第３位置』と称し、当該領域の時計回り方向に隣接する領域１２１Ｅの位置は『第２位置』と称する。そして、ダイヤフラム１９１Ｂが配置される側の領域１２２Ｅの位置は『第１位置』と称し、当該領域の時計回り方向に隣接する領域１２３Ｅの位置は『第４位置』と称する。
【００４４】
ここでは、制御部３００などがデータ記憶部３１４から読出した画像データを表示用メモリ３０４１に格納するとき、画像データは“第３方向”となるように格納されると想定する。ここで、第３方向とは、表示用メモリ３０４１の画像データに従う画像の天地のうち天側が表示面の『第３位置』に対応する側に位置し、且つ地側が表示面の『第１位置』に対応する側に位置するような表示方向を言う。
【００４５】
本実施の形態では、表示制御部３０４は、方向決定部３１０から表示方向のデータを入力し、入力した表示方向に基づき表示用メモリ３０４１の画像データを回転処理し、回転処理後の画像データに従ってＬＣＤを駆動する。これにより、画像の天地が方向決定部３１０が決定した表示方向に従って表示される。
【００４６】
具体的には、表示制御部３０４は、方向決定部３１０から“第３方向”を入力する場合には表示用メモリ３０４１の画像データを回転処理せずに、そのまま表示し、“第２方向”を入力する場合には表示用メモリ３０４１の画像データを時計回りに９０度の回転処理をし、回転処理後の画像データに従ってＬＣＤを駆動する。また、“第１方向”を入力する場合には表示用メモリ３０４１の画像データを１８０度の回転処理をし、回転処理後の画像データに従ってＬＣＤを駆動する。また、“第４方向”を入力する場合には表示用メモリ３０４１の画像データを反時計回りに９０度の回転処理をし、回転処理後の画像データに従ってＬＣＤを駆動する。なお、回転処理後の画像の表示例については後述する。
【００４７】
ここでは、画像の表示方向を決定するために『第１位置』〜『第４位置』の４種類を例示したが、位置の種類は、これら４種類に限定されるものではない。
【００４８】
（接触領域の位置と面積の検出）
本実施の形態では、圧力センサ１９１の検出に基づき対象物である耳がダイヤフラムに当接して接触した場合には、接触領域の位置と面積とを検出することができる。
【００４９】
圧力センサ１９１は、第３位置と第１位置の所定領域に配置されたダイヤフラム１９１Ａと１９１Ｂに加わっている圧力を、静電容量の変化またはひずみゲージを用いて検出し、検出結果に応じた電圧信号と当該ダイヤフラムを識別するための識別子を接触検出部３０９に出力する。
【００５０】
接触検出部３０９の面積検出部３０８は、ダイヤフラム１９１Ａと１９１Ｂからの電圧信号に基づき、ダイヤフラム１９１Ａと１９１Ｂそれぞれの膜の変形度を検出する。検出した各変形度と記憶部３１４に格納された所定変形度とを比較する。この所定変形度は、耳が接触して押圧された場合のダイヤフラム１９１Ａ（１９１Ｂ）の変形度であり、予め実験などにより取得されると想定する。
【００５１】
比較結果が（検出した変形度＞所定変形度）を示すと判定すると、当該変形度を検出したダイヤフラムの識別子を位置検出部３０７に出力する。位置検出部３０７は、入力する識別子がダイヤフラム１９１Ａを示すときは接触した領域の位置を『第３位置』と判定し、入力する識別子がダイヤフラム１９１Ｂを示すときは接触した領域の位置を『第１位置』と判定する。
【００５２】
なお、ここでは、説明を簡単にするために、ダイヤフラム１９１Ａおよび１９１Ｂの両方において同時に耳が接触することはないと想定している。
【００５３】
次に、タッチパネル１２１が操作されるときの対象物（指、ペンなど）の接触領域の位置と面積の検出を説明する。本実施の形態では、タッチパネル１２１をマトリックス型抵抗膜方式として説明する。
【００５４】
タッチパネル１２１は、表面に透明電極を設けた樹脂フィルムを上部電極とし、表面に透明電極を設けたガラス板を下部電極とし、スペーサを介して一枚の透明電極を対向させて重ねて構成される。樹脂フィルム上からペンや指でタッチすると、タッチした部分の上下電極が接触して電流が流れる。位置検出部３０７は、タッチパネル１２１からの出力信号に基づき、電流が流れた複数の電極を特定し、特定した電極に基づき接触した領域の位置として『第１位置』〜『第４位置』のいずれかを出力する。
【００５５】
ここでは、位置データ３３０は、各電極と当該電極が配置される領域（領域１２０Ｅ〜１２３Ｅ）を対応付けたデータを含む。したがって、位置検出部３０７は、特定した電極に基づき位置データ３３０から対応する領域のデータを読出すことで、接触した領域の位置として『第１位置』〜『第４位置』のいずれかを出力することができる。
【００５６】
また、タッチパネル１２１における操作による接触領域の位置と同時に面積を測定することができる。タッチパネル１２１の樹脂フィルムの一部領域とユーザの指などが接触すると、接触領域では上下の電極が接触する。接触する電極数の増加に比例して電流値が増加するから、面積検出部３０８は、タッチパネル１２１からの出力信号に基づく電流値から接触面積を判定することができる。
【００５７】
なお、タッチパネル１２１は、接触領域の位置と面積を検出することができるものであれば、マトリックス型抵抗膜方式に限定されるものではない。
【００５８】
（表示方向の決定と画像表示）
方向決定部３１０は、接触領域がダイヤフラム１９１Ａ（１９１Ｂ）の領域において検出される場合と、タッチパネル１２１の領域において検出される場合とで、画像の天地に従う表示方向の切替え方法を異ならせている。
【００５９】
接触検出部３０９は、方向決定部３１０に対して切替え方法を指示するための切替え指示ＣＨを出力する。具体的には、圧力センサ１９１からの出力に基づき接触領域を判定する場合には、接触検出部３０９は方向決定部３１０に対し、“圧力センサ”による切替え方法を指示するための切替え指示ＣＨを出力し、タッチパネル１２１からの出力に基づき接触領域を判定する場合には、“タッチパネル”による切替え方法を指示するための切替え指示ＣＨを出力する。
【００６０】
方向決定部３１０は、“圧力センサ”による切替え方法を指示する切替え指示ＣＨを入力する場合には、切替え指示ＣＨと接触領域の位置とに基づき以下のように表示方向を決定する。
【００６１】
たとえば、図６のように、接触領域の位置として『第３位置』が検出された場合には、方向決定部３１０は、表示方向を“第３方向”と決定する。したがって、上述した画像の回転処理はなされずに、表示用メモリ３０４１の画像データに従う画像が表示される。
【００６２】
図６では、タッチパネル１２１の長方形状の領域を長手方向に半分に区切った各領域のうち、耳が当接する『第３位置』側の領域１２０Ａでは接触領域の位置に近接した振動部１５Ａが駆動されることによるパネルスピーカの受話音声が出力されて、他方の『第１位置』側の領域１２０Ｂでは携帯端末１００を操作するための画像が、当該画像の天側が接触領域の側となるような“第３方向”に従って表示される。
【００６３】
図６とは異なり、接触領域の位置として『第１位置』が検出された場合には、表示方向は“第１方向”と決定される。第１方向と決定された場合には、表示用メモリ３０４１の画像データは１８０度回転処理されて表示される。したがって、図６とは逆に、耳が当接する『第１位置』側の領域１２０Ｂでは振動部１５Ｂが駆動されることによるパネルスピーカの受話音声が出力されて、他方の『第３位置』側の領域１２０Ａでは携帯端末１００を操作するための画像が、当該画像の天側が接触領域の『第１位置』側となるように表示される。
【００６４】
なお、表示される画像は、携帯端末１００を操作するための画像に限定されない。たとえば、通話中は相手の顔画像が表示されてもよい。
【００６５】
一方、方向決定部３１０は、“タッチパネル”による切替え方法を指示する切替え指示ＣＨを入力する場合には、切替え指示ＣＨと接触領域の位置とに基づき以下のように表示方向を決定する。
【００６６】
たとえば、タッチパネル１２１の領域１２０Ｅで接触領域１２４を検出した場合には（図７（Ａ）参照）、方向決定部３１０は、表示方向を“第１方向”と決定する。したがって、上述した画像の１８０度回転処理がされて、画像の天側が接触領域の『第１位置』側に対応し、地側が接触領域の『第３位置』側に対応するように表示される（図７（Ｂ）参照）。
【００６７】
タッチパネル１２１の領域１２３Ｅで接触領域１２４を検出した場合には（図７（Ｃ）参照）、方向決定部３１０は、表示方向を“第２方向”と決定する。したがって、上述した画像の時計回りに９０度回転処理がされて、画像の天側が接触領域の『第２位置』側に対応し、画像の地側が接触領域の『第４位置』側に対応するように表示される（図７（Ｄ）参照）。
【００６８】
タッチパネル１２１の領域１２２Ｅで接触領域１２４を検出した場合には（図７（Ｅ）参照）、方向決定部３１０は、表示方向を“第３方向”と決定する。したがって、上述した画像の回転処理はなされない。したがって、表示用メモリ３０４１の画像データに従う画像の天側が接触領域の『第３位置』側に対応し、画像の地側が接触領域の『第１位置』側に対応するように表示される（図７（Ｆ）参照）。
【００６９】
なお、接触領域１２４が領域１２１Ｅである場合も同様にして、方向決定部３１０は、表示方向を“第４方向”と決定する。したがって、上述した画像の反時計回りに９０度回転処理がされて、画像の地側が接触領域の『第２位置』側に対応するように表示される。
【００７０】
（処理フローチャート）
図８の処理フローチャートを参照して、本実施の形態に係る画像の表示方向を決定するための処理を説明する。フローチャートに従うプログラムは予め記憶部１４０に格納されており、ＣＰＵ１１０により記憶部１４０からプログラムが読出されて、読出されたプログラムが実行される。なお、この処理の開始時には表示部１２２には画像が表示されていないと想定する。
【００７１】
図８を参照して、制御部３００は、動作モードが通話モードに切替わったか否かを判定する（ステップＳ３）。通話モードに切替わったと判定すると（ステップＳ３でＹＥＳ）、接触検出部３０９は圧力センサ１９１の出力を入力する（ステップＳ５）が、通話モードには切替わっていないと判定すると（ステップＳ３でＮＯ）、接触検出部３０９はタッチパネル１２１の出力を入力する（ステップＳ７）。
【００７２】
接触検出部３０９は、圧力センサ１９１またはタッチパネル１２１からの入力があるか否かを判定する（ステップＳ９）。入力がないと判定する間は（ステップＳ９でＮＯ）、処理はステップＳ３に戻り、以降の処理が繰返される。
【００７３】
一方、入力有りと判定されると（ステップＳ８でＹＥＳ）、面積検出部３０８は接触領域の面積を検出する。具体的には、圧力センサ１９１の出力を入力する場合には、上述したようにダイヤフラムの変形度から面積を検出し、タッチパネル１２１の出力を入力する場合には、上述したように電流値から接触面積を検出する。ここでは、圧力センサ１９１およびタッチパネル１２１のいずれかからの入力があると想定する。
【００７４】
接触検出部３０９は、接触面積の大きさを判定する（ステップＳ１３）。具体的には、圧力センサ１９１の出力を入力する場合において（検出した変形度＞所定変形度）の条件が成立するときは接触面積は“大”と判定し、そうでないときは“小”と判定する。
【００７５】
また、タッチパネル１２１の出力を入力する場合には、検出した接触面積と面積データ３３１が示す所定の面積値とを比較し、所定の面積値以上であると接触面積は“大”と判定し、そうでないときは“小”と判定する。そして、“大”と判定された場合にはステップＳ１５の処理に移行するが、“小”と判定すると処理は終了する。
【００７６】
このように、接触面積が“小”と判定されるときは、意図しない操作であると考えられるので、意図しない操作により画像の表示方向が切り替えられてしまい、表示画像を見たユーザが混乱するのを防止することができる。
【００７７】
ステップＳ１５では、接触領域の位置を判定する。具体的には、圧力センサ１９１の出力を入力する場合には、位置検出部３０７は、上述したように（検出した変形度＞所定変形度）の条件を満たした変形度を検出したダイヤフラムの識別子に基づき、接触領域の位置として『第１位置』および『第３位置』のいずれかを検出する。また、タッチパネル１２１からの出力を入力する場合には、上述したように電流が流れた複数の電極を特定し、特定した電極に基づき接触領域の位置として『第１位置』〜『第４位置』のいずれかを検出する。
【００７８】
方向決定部３１０は、上述したように、接触検出部３０９からの切替え指示ＣＨと位置検出部３０７からの“接触領域の位置”に基づき、表示するべき画像の天地に従う表示方向を決定し（ステップＳ１７）、決定した表示方向を表示制御部３０４に出力する（ステップＳ１９）。これにより、表示方向の決定処理は終了する。
【００７９】
表示制御部３０４は、決定された表示方向に従って画像が表示されるようにＬＣＤを制御することにより、表示画像の天地を接触領域の位置に応じて切替える（図６と図７を参照）。
【００８０】
（接触面の変形例）
上述の実施の形態では、対象の接触を検知するための接触面であってＬＣＤの表示面に重ねられる接触面を、ダイヤフラム１９１Ａ，１９１Ｂおよびとタッチパネル１２１との両方の面で構成したが、当該接触面をダイヤフラム１９１Ａ，１９１Ｂを用いずにタッチパネルのみを用いてもよい。つまり、ＬＣＤの表示面の全面にタッチパネルを重ねるように構成する。
【００８１】
この場合には、切替え指示ＣＨは省略されて、方向決定部３１０は、接触領域の位置と面積とから、画像の天地に従う表示方向を決定する。
【００８２】
具体的には、方向決定部３１０は、面積検出部３０８が検出した接触領域の面積の値が所定面積値以下であると判定し、且つ位置検出部３０７が検出した接触領域の位置が操作面内の位置を示すと判定したとき、表示用メモリ３０４１の画像の天地のうち地側が接触領域の位置に対応するように画像の表示方向を決定する。
【００８３】
ここで、操作面とは、携帯端末１００を操作するためのユーザ操作を受付けるための、領域１２０Ｅ〜１２３Ｅに相当する面を指す。また、所定面積値は、上述の骨伝導により音を聞くためのタッチパネルに耳が当接したときに検出される接触面積を指す。なお、ここでは２個の振動部１５Ａと１５Ｂを用いたが３個以上に振動部を用いて、３個以上に振動部のうち接触領域の位置に近接して取り付けられた１つ以上の振動部によりタッチパネルを振動させるようにしてもよい。
【００８４】
一方、方向決定部３１０は、接触領域の面積の値が所定面積値よりも大きいと判定し、且つ接触領域の位置が受圧面の位置を示すと判定したとき、表示用メモリ３０４１の画像の天地のうち天側が接触領域の位置に対応するように画像の表示方向を決定する。ここで、受圧面とは、領域１２０Ｅ〜１２３Ｅ以外の耳の当接による押圧を検出するための面を指す。
【００８５】
なお、通話時に耳の接触を検出した場合には、パネルスピーカにより受話音声を出力するが、非通話時に耳の接触を検出した場合には、音声再生部３０６が再生する音声データ３３３による音声を出力する。音声データ３３３による音声をパネルスピーカにより出力するときは、音声データ３３３に関連して予め記憶された画像データを決定した表示方向に従って表示するとしてもよい。
【００８６】
上述したように、携帯端末１００では、画像が表示されていないために表示が天地をどの方向にして表示されるか不明な場合でも、ユーザが筺体２４を把持して指などが接触した領域、または耳が接触した領域の位置に応じて表示画像の天地に従う表示方向が切替えられるので、把持の態様に応じて画像の表示方向を切替えることができて、携帯端末１００の操作性を改善することができる。
【００８７】
（マイクの配置の変形例）
本実施の形態では、２つのマイク１６１と１６２を備えたが、図９のように、マイクは１個であってもよい。図９を参照して、筺体２４においてタッチパネル１２１の長辺の中央付近に設置することで、耳が当接した短辺がいずれの側であっても、ユーザが発する音声を、当該マイクで集音することができる。
【００８８】
（筺体の変形例）
図１では、１個の筺体２４に１個の表示一体型入力部１２０を搭載したが、携帯端末１００は２個以上の筺体から構成される場合であっても、上述した画像の表示方向の切替えを適用することができる。図１０には、一例として、２個の筺体２４１，２４２からならクラムシェル型の携帯端末１００が示される。クラムシェル型の携帯端末１００は、図示するように、連結部であるヒンジを介して折り畳み可能に接続される。
【００８９】
図１０では、２個の筺体２４１，２４２のそれぞれに表示一体型入力部１２０が搭載される。したがって、ヒンジを介した開状態において一方筺体２４１のタッチパネル１２Ａのヒンジ側とは反対の短辺側に振動部１５Ａとマイク１６１が、他方筺体２４２のタッチパネル１２Ｂのヒンジ側とは反対の短辺側に振動部１５Ｂとマイク１６２が、それぞれを備えられる。
【００９０】
図１０では、ヒンジの連結部に磁石センサ（図示せず）を内蔵し、ＣＰＵ１１０は、磁石センサの出力に基づき筺体が開状態および閉状態（折畳まれた状態）のいずれであるか判定する。開状態であると判定したときは、ＣＰＵ１１０は、ユーザが筺体を把持して指などが接触した領域、または耳が接触した領域が筺体２４１および２４２のいずれであるかを、圧力センサまたはタッチパネルからの出力に基づき判定する。この判定後は、上述した処理と同様に、出力が検出された筺体における接触位置に応じて画像の天地に従う表示方向を切替える。なお、筺体２４１，２４２のうちの一方の筺体において耳の接触が検出された場合には、図６のように、他方の筺体において画像を表示するようにしてもよい。
【００９１】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００９２】
１５Ａ，１５Ｂ  振動部、２４，２４１，２４２  筺体、１００  携帯端末、１２０  表示一体型入力部、１２０Ａ，１２０Ｂ，１２０Ｅ，１２１Ｅ，１２２Ｅ，１２３Ｅ  領域、１２１，１２Ａ，１２Ｂ  タッチパネル、１２２  表示部、１２４  接触領域、１３１  送信部、１４０，３１４  記憶部、１５０  パネル振動部、１５１，１５３  アクチュエータモジュール、１５２，１５４  圧電駆動部、１６０  音声入力部、１９１  圧力センサ、１９１Ａ，１９１Ｂ  ダイヤフラム、２３０  音声出力部、３００  制御部、３０１  着信検出部、３０２  音声出力制御部、３０３  駆動信号生成部、３０４  表示制御部、３０５  音声入力制御部、３０６  音声再生部、３０７  位置検出部、３０８  面積検出部、３０９  接触検出部、３１０  方向決定部、３１２  通信部、３１３  通話部、３１４  データ記憶部、３１５  操作受付部、３３０  位置データ、３３１  面積データ、３３２  触覚データ、３３３  音声データ、３０４１  表示用メモリ、ＣＨ  指示。
【図１】
2013150161.tif 000003
【図２】
2013150161.tif 000004
【図３】
2013150161.tif 000005
【図４】
2013150161.tif 000006
【図５】
2013150161.tif 000007
【図６】
2013150161.tif 000008
【図７】
2013150161.tif 000009
【図８】
2013150161.tif 000010
【図９】
2013150161.tif 000011
【図１０】
2013150161.tif 000012